(57)【要約】      （修正有）【課題】補助デバイスを着用可能デバイスに装着するためのコネクタを提供する。【解決手段】本開示は着用可能デバイスの分野に関連し、詳細には、コネクタ１００と、補助デバイス２００と、着用可能デバイスと、着用可能デバイスキットとに関連する。コネクタが、第１の磁気構成要素を装備する第１の接続構成要素１１０と、第２の磁気構成要素を装備する第２の接続構成要素１２０と、を備え、第１の磁気構成要素および第２の磁気構成要素が互いに磁気的に取り付けられ得、第２の接続構成要素が磁気引力の方向に対して垂直な平面において第１の接続構成要素に対して所定の角度で回転することができる。本開示のコネクタが、着用可能デバイスを基準とした補助デバイスの設置角度が柔軟性を有する形で好都合に調整され得ないという技術的問題を解決することができる。【選択図】図２
2020201477.tif 000002
【特許請求の範囲】
【請求項１】
補助デバイスを着用可能デバイスに装着するためのコネクタであって、前記コネクタが、
第１の磁気構成要素を装備する第１の接続構成要素と、
第２の磁気構成要素を装備する第２の接続構成要素と、を備え、
前記第１の磁気構成要素および前記第２の磁気構成要素は互いに磁気的に取り付けられ、
前記第２の接続構成要素は磁気引力の方向に対して垂直な平面において前記第１の接続構成要素に対して所定の角度で回転することができる、
コネクタ。
【請求項２】
前記第１の接続構成要素が外側周縁表面を有し、前記第２の接続構成要素の外側周縁部分が、前記外側周縁表面にフォームフィットされる内側周縁表面を有し、前記外側周縁表面が前記内側周縁表面に対して回転可能であり、前記外側周縁表面および前記内側周縁表面が、前記第１の接続構成要素に対しての前記第２の接続構成要素の回転の中心となる回転軸を画定する、請求項１に記載のコネクタ。
【請求項３】
前記外側周縁表面および前記内側周縁表面が、互いに適合する円形外形または部分的な円形外形、互いに適合する多角形外形、および互いに適合する歯を有する外形、のうちの任意の１つの外形を有する、請求項２に記載のコネクタ。
【請求項４】
前記第１の接続構成要素が回転中心のところに凹部を有し、前記第２の接続構成要素が回転中心のところに突出部を有し、
前記第２の接続構成要素が前記第１の接続構成要素に接続され、前記突出部の少なくとも一部分がフォームフィット方式で前記凹部の内部で受けられ、
前記突出部および前記凹部が、前記第１の接続構成要素に対しての前記第２の接続構成要素の回転の中心となる回転軸を画定する、
請求項１から３のいずれか一項に記載のコネクタ。
【請求項５】
前記突出部および前記凹部が、互いに適合する円形外形または部分的な円形外形、互いに適合する多角形外形、および互いに適合する歯を有する外形、のうちの任意の１つの外形を有する、請求項４に記載のコネクタ。
【請求項６】
前記第１の磁気構成要素および前記第２の磁気構成要素は、所定の角度の範囲内において前記第１の磁気構成要素および前記第２の磁気構成要素が互いに磁気的に取り付けられ得るように、成形およびサイズ決定される、請求項１に記載のコネクタ。
【請求項７】
前記第１の接続構成要素が、環状のまたは部分的に環状の摺動溝を備え、前記第２の磁気構成要素が前記摺動溝の内部で摺動することができ、それにより前記第１の接続構成要素に対しての前記第２の接続構成要素の回転の中心となる回転軸を画定する、請求項６に記載のコネクタ。
【請求項８】
前記第１の磁気構成要素が反対の極性を有する少なくとも一対の第１の磁気構成要素を備え、前記第２の磁気構成要素が反対の極性を有する少なくとも一対の第２の磁気構成要素を備える、請求項１から７のいずれか一項に記載のコネクタ。
【請求項９】
前記第１の接続構成要素が前記第２の接続構成要素に締まり嵌めされ、前記締まり嵌めにより生じる摩擦力が前記第１の接続構成要素および前記第２の接続構成要素が互いに独立して回転するのを防止することができる、請求項１から８のいずれか一項に記載のコネクタ。
【請求項１０】
前記コネクタが、前記第２の接続構成要素の外側周縁部分に配置される固定構成要素をさらに備え、前記固定構成要素が、前記第２の接続構成要素の前記外側周縁部分を基準とした第１の位置および第２の位置に配置され得、前記第１の位置では、前記固定構成要素が前記第２の接続構成要素の前記外側周縁部分の前記内側周縁表面から突出せず、その結果、前記第１の接続構成要素および前記第２の接続構成要素が互いに対して回転することができ、前記第２の位置では、前記固定構成要素が前記第２の接続構成要素の前記外側周縁部分の前記内側周縁表面から突出して前記第１の接続構成要素に当接され、それにより前記第１の接続構成要素および前記第２の接続構成要素が互いに対して回転するのを防止する、請求項１から９のいずれか一項に記載のコネクタ。
【請求項１１】
前記第１の接続構成要素または前記第２の接続構成要素が前記補助デバイスに着脱自在に接続されるかまたは前記補助デバイスに一体化され、前記第１の接続構成要素または前記第２の接続構成要素を前記補助デバイスに一体化することは、射出成形により前記第１の接続構成要素または前記第２の接続構成要素を前記補助デバイスに一体化することを含む、請求項１から１０のいずれか一項に記載のコネクタ。
【請求項１２】
前記第１の接続構成要素または前記第２の接続構成要素が前記着用可能デバイスの一部分をクランプするためのクランプ溝を備え、その結果、前記第１の接続構成要素または前記第２の接続構成要素が前記着用可能デバイスに着脱自在に接続される、請求項１から１１のいずれか一項に記載のコネクタ。
【請求項１３】
前記第２の接続構成要素が前記着用可能デバイスの一部分をクランプするためのクランプ溝を備え、その結果、前記第２の接続構成要素が前記着用可能デバイスに着脱自在に接続され、クランプ構成要素が前記突出部に設けられ、前記クランプ構成要素が、前記クランプ溝の中へ延在しない第１の位置、および前記クランプ溝の中へ延在する第２の位置に配置され得る、請求項４または５に記載のコネクタ。
【請求項１４】
請求項１から１３のいずれか一項に記載のコネクタを備える補助デバイス。
【請求項１５】
請求項１から１０および１２または１３のいずれか一項に記載のコネクタを備える着用可能デバイス。
【請求項１６】
補助デバイスと、着用可能デバイスとを備える着用可能デバイスキットであって、
前記着用可能デバイスキットが請求項１から１３のいずれか一項に記載のコネクタをさらに備え、前記補助デバイスが電子リーダを備える、
着用可能デバイスキット。
【発明の詳細な説明】
【技術分野】
【０００１】
本開示は、補助デバイスを着用可能デバイスに装着するためのコネクタと、コネクタを備える補助デバイスと、コネクタを備える着用可能デバイスと、コネクタを備える着用可能デバイスキットとに関する。
【背景技術】
【０００２】
着用可能デバイスは、概して、ユーザにより直接に着用され得る携帯用デバイス、またはユーザによって着用され得る衣服または着用部品に一体化される携帯用デバイスを意味する。現在最も一般的な着用可能デバイスには、眼鏡、ヘルメット、腕時計、ブレスレット、ヘッドホン、などが含まれる。
【０００３】
着用可能デバイスは、着用可能デバイスの実装形態に従うと概して、ユーザによって着用され得る衣服または着用部品に対して、知的機能を果たすデバイスを一体化するようなタイプと（単純に一体化タイプと称される）、衣服または着用部品に対して、知的機能を果たすデバイスをアクセサリの形態で取り付けるようなタイプと（単純に組み立てタイプと称される）、に分類され得る。一体化タイプは、性能、外観、ユーザ体験などに関して、有利であるが、複雑な製造プロセスおよび高いコストを有する。組み立てタイプは、性能、外観、ユーザ体験などに関して、一体化タイプより劣るが、実装が容易で、安価なものであり、知的機能を果たすデバイスをユーザにより種々の着用可能デバイスに適合させるのを容易にするものである。
【０００４】
組み立てタイプの場合、現在最も一般的な実施の形は、知的機能を果たすことができる、スマートカメラおよびスマートリーダなどの小型補助デバイスを着用可能デバイス（例えば、スマート機能を有さない眼鏡フレーム）に装着する形である。小型補助デバイスが、例えば、磁気的に取り付け可能であるコネクタにより、着用可能デバイスに着脱自在に設置され得、ここでは、コネクタが、補助デバイスに固定される第１の接続構成要素と、着用可能デバイスに固定される第２の接続構成要素とを備える。このような既存のコネクタは、通常、補助デバイスを着用可能デバイスを基準とした単一の位置のみに固定することができ、つまり、着用可能デバイスを基準とした設置される補助デバイスの角度を調整または好都合に調整することが可能ではない場合があり、それによりユーザ体験を大幅に悪化させる。
【０００５】
例えば、ユーザ（例えば、視覚障害者または弱視者）のためのカメラによって捕捉される情報を認識するためにカメラを備える補助デバイスが眼鏡フレームのテンプルに装着される場合、ユーザが歩行するときには、カメラがカメラの前方、上方、および下方の情報を直接に捕捉する必要があり、これにはカメラを水平方向において真っすぐ正面の方に適切に方向付けることが必要となり、つまりカメラを眼鏡フレームのテンプルに実質的に平行にすることが必要となり、またユーザが座位で読書をしているとき、カメラが依然として眼鏡フレームのテンプルに実質的に平行である場合には必要な情報をカメラにより完全に認識することできる（必要な情報のすべてをカメラの視野内に位置させることが必要となる）ようにするためにユーザがユーザの手の補助により特定されるべき物体（例えば、本、など）をカメラの前方にある状態で維持することが必要であるかまたはユーザが頭を下げた状態を維持することが必要であり、これはユーザ体験を大幅に悪化させることになる。特定されるべき物体を手で保持することは安定性が低く、これは特定精度に影響し、ユーザの負担を増大させ、また長時間にわたってユーザに自分の頭を下げた状態を維持させることはユーザの身体にいくらかのダメージを与えることになる。
【０００６】
加えて、カメラの写角が上下対称であることを理由として、カメラが眼鏡フレームのテンプルに平行である場合、特定される物体が眼鏡フレームの上側認識エリアまたは下側認識エリアの範囲内にないときには、眼鏡フレームの上側認識エリアまたは下側認識エリアが無意味で無駄となり、つまり画像認識中はカメラの視野の利用率が高くはない。
【０００７】
したがって、着用可能デバイスに対して装着される補助デバイスの角度を柔軟性を有する形で好都合に調整することができるコネクタが必要とされる。
【０００８】
このセクションで説明される方法は、必ずしも、これまでに着想または採用されている方法というわけではない。特に明記しない限り、このセクションで説明されるいかなる方法も、単に本セクションに含まれるものであることを理由として、従来技術として見なされるとするべきではない。同様に、特に明記しない限り、このセクションで言及される問題は任意の従来技術でよく知られているものとして見なされるべきでない。
【先行技術文献】
【特許文献】
【０００９】
【特許文献１】中国特許出願公開第１０６８４３４９１号明細書
【特許文献２】中国特許出願公開第１０７３０１７７３号明細書
【特許文献３】中国特許出願公開第１０７３０７９８０号明細書
【発明の概要】
【発明が解決しようとする課題】
【００１０】
本開示の目的は、補助デバイスを着用可能デバイスに装着するためのコネクタを提供することであり、補助デバイスが、例えば、知的機能を実施するのに使用され得るスマートカメラおよびｅリーダなどの電子デバイスを備えることができ、着用可能デバイスが眼鏡フレームなどを含むことができる。コネクタを使用することにより、着用可能デバイスを基準とした補助デバイスの角度がユーザに要求に従って調整され得、それにより例えば、カメラの視野をさらに最大限に活用することを目的として補助デバイスのカメラの認識エリアが調整される。
【課題を解決するための手段】
【００１１】
この目的のため、本開示の第１の態様によると、補助デバイスを着用可能デバイスに装着するためのコネクタが提供され、コネクタが、第１の磁気構成要素を装備する第１の接続構成要素と、第２の磁気構成要素を装備する第２の接続構成要素と、を備え、第１の磁気構成要素および第２の磁気構成要素は互いに磁気的に取り付けられ得、第２の磁気構成要素は磁気引力の方向に対して垂直な平面において第１の磁気構成要素に対して所定の角度で回転することができる。
【００１２】
本開示による第１の態様では、好適には、第１の接続構成要素が外側周縁表面を有し、第２の接続構成要素の外側周縁部分が、外側周縁表面にフォームフィットされる内側周縁表面を有し、外側周縁表面が内側周縁表面に対して回転可能であり、外側周縁表面および内側周縁表面が、第１の接続構成要素に対しての第２の接続構成要素の回転の中心となる回転軸を画定する。
【００１３】
本開示による第１の態様では、好適には、外側周縁表面および内側周縁表面が、互いに適合する（ｍａｔｃｈｉｎｇ）、円形外形または部分的な円形外形、互いに適合する多角形外形、および互いに適合する歯を有する外形、のうちの任意の１つの外形を有する。
【００１４】
本開示による第１の態様では、好適には、第１の接続構成要素が回転中心のところに凹部を有し、第２の接続構成要素が回転中心のところに突出部を有し、第２の接続構成要素が第１の接続構成要素に接続されるとき、突出部の少なくとも一部分がフォームフィット方式で凹部の内部で受けられ、突出部および凹部が、第１の接続構成要素に対しての第２の接続構成要素の回転の中心となる回転軸を画定する。
【００１５】
本開示による第１の態様では、好適には、突出部および凹部が、互いに適合する円形外形または部分的な円形外形、互いに適合する多角形外形、および互いに適合する歯を有する外形、のうちの任意の１つの外形を有する。
【００１６】
本開示による第１の態様では、好適には、第１の磁気構成要素および第２の磁気構成要素は、所定の角度の範囲内において第１の磁気構成要素および第２の磁気構成要素が互いに磁気的に取り付けられるように、成形およびサイズ決定される。
【００１７】
本開示による第１の態様では、好適には、第１の接続構成要素が、環状のまたは部分的に環状の摺動溝を備え、第２の磁気構成要素が摺動溝の内部で摺動することができ、それにより第１の接続構成要素に対しての第２の接続構成要素の回転の中心となる回転軸を画定する。
【００１８】
本開示による第１の態様では、好適には、第１の磁気構成要素が反対の極性を有する少なくとも一対の第１の磁気構成要素を備え、第２の磁気構成要素が反対の極性を有する少なくとも一対の第２の磁気構成要素を備える。
【００１９】
本開示による第１の態様では、好適には、第１の接続構成要素が第２の接続構成要素に締まり嵌めされ、締まり嵌めにより生じる摩擦力が第１の接続構成要素および第２の接続構成要素が互いに独立して回転するのを防止することができる。
【００２０】
本開示による第１の態様では、好適には、コネクタが、第２の接続構成要素の外側周縁部分に配置される固定構成要素をさらに備え、固定構成要素が、第２の接続構成要素の外側周縁部分を基準とした第１の位置および第２の位置に配置され得、第１の位置では、固定構成要素が第２の接続構成要素の外側周縁部分の内側周縁表面から突出せず、その結果、第１の接続構成要素および第２の接続構成要素が互いに対して回転することができ、第２の位置では、固定構成要素が第２の接続構成要素の外側周縁部分の内側周縁表面から突出して第１の接続構成要素に当接され、それにより第１の接続構成要素および第２の接続構成要素が互いに対して回転するのを防止する。
【００２１】
本開示による第１の態様では、好適には、第１の接続構成要素または第２の接続構成要素が補助デバイスに着脱自在に接続され得るかまたは補助デバイスに一体化され得、第１の接続構成要素または第２の接続構成要素を補助デバイスに一体化することは、射出成形により第１の接続構成要素または第２の接続構成要素を補助デバイスに一体化することを含む。
【００２２】
本開示による第１の態様では、好適には、第１の接続構成要素または第２の接続構成要素が着用可能デバイスの一部分をクランプするためのクランプ溝を備え、その結果、第１の接続構成要素または第２の接続構成要素が着用可能デバイスに着脱自在に接続され得る。
【００２３】
本開示による第１の態様では、好適には、第２の接続構成要素が着用可能デバイスの一部分をクランプするためのクランプ溝を備え、その結果、第２の接続構成要素が着用可能デバイスに着脱自在に接続され得、クランプ構成要素が突出部に設けられ、クランプ構成要素が、クランプ溝の中へ延在しない第１の位置、およびクランプ溝の中へ延在する第２の位置に配置され得る。
【００２４】
本開示の第２の態様によると、上述のコネクタを備える補助デバイスが提供される。
【００２５】
本開示の第３の態様によると、上述のコネクタを備える着用可能デバイスが提供される。
【００２６】
本開示の第４の態様によると、補助デバイスと、着用可能デバイスとを備え、さらに上述のコネクタを備える、着用可能デバイスキットが提供される。補助デバイスが電子リーダを備える。
【００２７】
以下で図面と併せて、本開示による好適な実施形態を詳細に説明する。
【図面の簡単な説明】
【００２８】
【図１】本開示の好適な実施形態による、コネクタにより、着用可能デバイスの例としての眼鏡フレームに接続される補助デバイスを示す概略斜視図である。
【図２】補助デバイスに固定される本開示によるコネクタを示す斜視図である。
【図３】補助デバイスに固定される本開示によるコネクタを示す別の斜視図である。
【図４】補助デバイスに固定される本開示によるコネクタを示す正面図である。
【図５Ａ】本開示による第２の接続構成要素および補助デバイスを示す斜視図である。
【図５Ｂ】本開示による第２の接続構成要素および補助デバイスを示す斜視図である。
【図６】本開示によるコネクタの第２の接続構成要素を示す異なる視点の斜視図である。
【図７】本開示によるコネクタの第２の接続構成要素を示す異なる視点の斜視図である。
【図８】本開示によるコネクタの第２の接続構成要素を示す異なる視点の斜視図である。
【図９】コネクタが補助デバイスに固定されているときの構成要素の嵌合状態を示している、長手方向の補助デバイスを示す断面図である。
【図１０Ａ】本開示によるコネクタの第１の接続構成要素の２つの永久磁石を示す図である。
【図１０Ｂ】本開示によるコネクタの第１の接続構成要素の２つの永久磁石を示す図である。
【図１１Ａ】本開示によるコネクタの第２の接続構成要素の２つの永久磁石を示す図である。
【図１１Ｂ】本開示によるコネクタの第２の接続構成要素の２つの永久磁石を示す図である。
【図１２】本開示によるコネクタの２つの端の回転位置を示す図である。
【図１３】本開示によるコネクタの２つの端の回転位置を示す図である。
【発明を実施するための形態】
【００２９】
図面は実施形態を例示的に示しており、本明細書の一部を構成するものであり、本明細書の記述と共に、実施形態の例示の実装形態を示すのに使用されるものである。示される実施形態は単に説明を目的としており、特許請求の範囲の保護範囲を限定するものではない。図面を通して、同様の参照符号が同じまたは同様の要素を表している。
【００３０】
本開示では、特に明記しない限り、種々の要素を説明するために「第１」、「第２」などの用語を使用することは、これらの要素の位置関係、時間的関係、または重要性の関係を限定することを意図されず、これらの用語は単に１つの要素を別の要素から区別するのに使用されるものである。いくつかの例では、第１の要素および第２の要素が要素の等しい例を意味していてよく、またいくつかの事例では、文脈上の記述に基づいて、異なる例を意味していてもよい。
【００３１】
本開示の種々の実施例の説明で使用される用語は、単に、特定の実施例を説明することを目的とし、限定的であることを意図されない。文脈において特に明記しない限り、要素の数が具体的に限定されない場合、この要素が１つまたは複数の要素であってよい。さらに、本開示で使用される「および／または」という用語は、列記されるアイテムのうちの任意の１つおよびすべての考えられる組合せを包含する。
【００３２】
着用可能デバイスを補助デバイスに装着するのに使用される背景技術およびコネクタが、本明細書において、例としての、着用可能デバイスとして使用される従来の眼鏡フレーム、および補助デバイスとして使用されるスマートカメラ／電子リーダと共に、示されるが、本開示はこれのみに限定されない、ことに留意されたい。例えば、着用可能デバイスが、スマート眼鏡フレームを含めた、スマート機能を有する着用可能な装置であってもよく、補助デバイスがスマート機能を有さないアクセサリであってもよい。着用可能デバイスおよび補助デバイスが組合せで使用され得（または、組合せで使用される必要があり）、繰り返しの使用のために装着または脱着される必要がある限りにおいて、本開示のコネクタが任意の着用可能デバイスおよび補助デバイスに対して適用可能となり得る。
【００３３】
以下で、図１から１３を参照して、本開示の好適な実施形態によるコネクタ１００を説明する。図１に示されるように、コネクタ１００が、着用可能デバイスの可能性のある例としての眼鏡フレーム３００に対して補助デバイス２００が着脱自在に接続されるのを可能にするのに使用され、例えば、眼鏡フレーム３００のテンプル３１０に対して補助デバイス２００が着脱自在に接続されるのを可能にするのに使用される。補助デバイス２００が例えば電子リーダ（スマートリーダとも称される）であってよく、電子リーダは、視覚障害者または弱視者が世界を知覚して移動するのを補助することを目的としてコンピュータビジョンおよび人工知能テクノロジを使用し、視覚情報を聴覚信号、触覚信号などに変換することを目的としてヒト眼をシミュレートする。例えば、電子リーダ（スマートリーダとも称される）が、限定しないが、本出願人の特許出願である特許文献１（ＣＮ１０６８４３４９１Ａ）、特許文献２（ＣＮ１０７３０１７７３Ａ）、特許文献３（ＣＮ１０７３０７９８０Ａ）などに開示されるデバイスを備えることができる。
【００３４】
図１から５Ｂに示されるように、眼鏡フレーム３００のテンプル３１０が第２の接続構成要素１２０のＵ形溝１２１（クランプ溝）内でクランプされ、テンプル３１０がＵ形溝１２１内で締まり嵌めされるように構成され得、その結果、第２の接続構成要素１２０が、追加の固着手段（例えば、接着剤、ねじ、など）を用いずに、眼鏡フレーム３００のテンプル３１０に固着され得る。別の好適な実装形態として、第２の接続構成要素１２０が接着剤により眼鏡フレーム３００のテンプル３１０に付着され得るか、または第２の接続構成要素１２０が射出成形によりテンプル３１０上に直接に形成され得る、ことを理解されたい。加えて、第２の接続構成要素１２０が眼鏡フレーム３００の別の部分に固定されてもよいかまたは別の部分のところに一体に形成されてもよい。
【００３５】
図２から５Ｂに示されるように、本開示によるコネクタ１００が、第１の接続構成要素１１０と、第２の接続構成要素１２０と、固定構成要素１３０とを備える。図５Ｂに示されるように、本開示の好適な実施形態では、第１の接続構成要素１１０および補助デバイス２００が射出成形を用いることにより一体化され、つまり第１の接続構成要素１１０が補助デバイス２００のハウジングの一部分である。しかし、本開示がこれのみに限定されず、第１の接続構成要素１１０が補助デバイス２００とは別個の独立した構成要素であってよく、例えば、接着剤、ねじなどの固定具、など、により、補助デバイス２００に固定され得る、ことを理解されたい。
【００３６】
図５Ａから８に示されるように、第１の接続構成要素１１０が部分的に切り取られたディスク形状を有し、第１の接続構成要素１１０が回転中心のところに凹部１１１を装備し、第２の接続構成要素１２０がそれに対応して突出部１２２を装備する。図５Ａ、５Ｂ、６、および９から１１Ｂに示されるように、第１の接続構成要素１１０が第１の磁気構成要素をさらに備え、第２の接続構成要素１２０が第２の磁気構成要素（図１１Ａおよび１１Ｂに示される第２の永久磁石１２５ａおよび１２５ｂ）をさらに備える。第２の磁気構成要素および第１の磁気構成要素（図１０Ａおよび１０Ｂに示される第１の永久磁石１１２ａおよび１１２ｂ）が互いに磁気的に取り付けられ得る。第２の接続構成要素１２０が第１の接続構成要素１１０に接続され、突出部１２２が凹部１１１内で受けられ、第２の接続構成要素１２０が磁気引力の方向に対して垂直な平面において第１の接続構成要素１１０に対して所定の角度で回転することができ、互いに磁気的に取り付けられた状態を維持することができる。重量の影響を受けやすいような事例では第１の接続構成要素１１０が部分的に切り取られたディスク形状で構成され、重量の影響を受けにくいような事例では第１の接続構成要素１１０が完全なディスク形状であってもよい、ことが有利であることを理解されたい。
【００３７】
図５Ａから８に示されるように、凹部１１１および突出部１２２が共に円形形状を有し、その結果、突出部１２２が凹部１１１内で受けられるときに第２の接続構成要素１２０が第１の接続構成要素１１０に対して回転することができるようになり、つまり突出部１２２および凹部１１１が、第１の接続構成要素１１０および第２の接続構成要素１２０の互いに対しての回転の中心となる回転軸を画定する。固定構成要素１３０が第２の接続構成要素１２０の外側周縁部分１２３に配置され、固定構成要素１３０が第２の接続構成要素１２０の外側周縁部分１２３を基準として第１の位置および第２の位置に配置され得る。第１の位置では固定構成要素１３０が第２の接続構成要素１２０の外側周縁部分１２３の内側周縁表面１２３ａから突出せず、その結果、第１の接続構成要素１１０および第２の接続構成要素１２０が互いに対して回転することができる。第２の位置では、固定構成要素１３０が第２の接続構成要素１２０の外側周縁部分１２３の内側周縁表面１２３ａから突出して第１の接続構成要素１１０の外側周縁表面１１０ａに当接され、それにより第１の接続構成要素１１０および第２の接続構成要素１２０が互いに対して回転するのを防止する。
【００３８】
図９に示されるように、固定構成要素１３０が、好適には、第２の接続構成要素１２０の外側周縁部分１２３の中にねじ込まれる無頭ねじ（ｈｅａｄｌｅｓｓ  ｓｃｒｅｗ）である。無頭ねじを使用することは、無頭ねじが第２の接続構成要素１２０の外側周縁部分１２３の中に完全にねじ込まれ得ること、つまり第２の接続構成要素１２０の外側周縁部分１２３の外側表面１２３ｂ（図６を参照）が突出部を有さず、それにより使用中に実質的にほぼ不可視となり、それによりコネクタの美的外観を向上させること、を理由として、有利である。
【００３９】
凹部１１１および突出部１２２が円形外形を有するもののみに限定されないことを理解されたい。具体的には、凹部１１１および突出部１２２は、例えば、部分的な円形外形、多角形外形（限定しないが例えば、３２角形、３６角形、４８角形など）、または、複数の歯を有する外形、などの、互いに適合する他の形状の外形を有してもよく、ここでは多角形の辺の数および歯の数は、特定の用途シナリオによって要求される調整範囲および最小調整角度の要求条件に従って設定され得る。凹部１１１および突出部１２２が多角形外形または複数の歯を有する外形を有するような事例では、第１の接続構成要素１１０および第２の接続構成要素１２０が互いに磁気的に取り付けられるとき、凹部１１１と突出部１２２との間のフォームフィットが第１の接続構成要素１１０および第２の接続構成要素１２０が互いに対して回転するのを防止することができ、その結果、固定構成要素１３０が省略され得る。この事例では、眼鏡フレーム３００のテンプル３１０に対しての補助デバイス２００の角度を調整することが必要である場合、補助デバイス２００が最初に磁気引力の反対の方向に眼鏡フレーム３００の外側の方に引かれ、その結果、第１の接続構成要素１１０と一体に補助デバイス２００が第２の接続構成要素１２０から分離され、補助デバイス２００が眼鏡フレーム３００のテンプル３１０に対して所望の角度だけ回転させられた後、第１の接続構成要素１１０が補助デバイス２００と一体に第２の接続構成要素１２０に固定される。
【００４０】
上述の本開示の好適な実施形態では、第２の接続構成要素１２０の外側周縁部分１２３の内側周縁表面１２３ａおよび第１の接続構成要素１１０の外側周縁表面１１０ａが部分的な円形外形を有するものとして示されており、これらの部分的な円形外形は形状が互いに適合しており、第１の接続構成要素１１０および第２の接続構成要素１２０の互いに対しての回転の中心となる回転軸を画定する。第２の接続構成要素１２０の外側周縁部分１２３の内側周縁表面１２３ａおよび第１の接続構成要素１１０の外側周縁表面１１０ａが図に示される部分的な円形外形のみに限定されず、互いに適合する多角形外形または複数の歯を有する外形であってもよく、ここでは多角形の辺の数および歯の数は、特定の用途シナリオによって要求される調整範囲および最小調整角度の要求条件に従って設定される。同様に、第２の接続構成要素１２０の外側周縁部分１２３の内側周縁表面１２３ａおよび第１の接続構成要素１１０の外側周縁表面１１０ａが多角形外形または複数の歯を有する外形を有するような事例では、第１の接続構成要素１１０および第２の接続構成要素１２０が互いに磁気的に取り付けられる場合、第２の接続構成要素１２０の外側周縁部分１２３の内側周縁表面１２３ａと第１の接続構成要素１１０の外側周縁表面１１０ａとの間のフォームフィットが第１の接続構成要素１１０および第２の接続構成要素１２０が互いに対して回転するのを防止することができ、その結果、固定構成要素１３０が省略され得る。この事例では、やはり同様に、眼鏡フレーム３００のテンプル３１０に対しての補助デバイス２００の角度を調整することが必要である場合、補助デバイス２００が最初に磁気引力の反対の方向に眼鏡フレーム３００の外側の方に引かれ、その結果、第１の接続構成要素１１０と一体に補助デバイス２００が第２の接続構成要素１２０から分離され、補助デバイス２００が眼鏡フレーム３００のテンプル３１０に対して所望の角度だけ回転させられた後、第１の接続構成要素１１０が補助デバイス２００と一体に第２の接続構成要素１２０に固定される。
【００４１】
本開示の好適な一実施形態では、図６に示されるように、突出部１２２が無頭ねじ１２４（クランプ構成要素）を装備することができ、無頭ねじ１２４がＵ形溝１２１の中へと延在しない第１の位置に配置され得（この位置では、第２の接続構成要素１２０が眼鏡フレーム３００から取り外され得る）、Ｕ形溝１２１の中へ延在してそれによりテンプル３１０に対して押圧される第２の位置に配置され得る（この位置では、第２の接続構成要素１２０が眼鏡フレーム３００から取り外され得ない）。
【００４２】
図５Ｂ、６、９、１０Ａ、１０Ｂ、１１Ａ、および１１Ｂに示されるように、第１の磁気構成要素が一対の第１の永久磁石１１２ａ、１１２ｂを備え、第１の永久磁石１１２ａ、１１２ｂが部分的な環状形状であり、第１の接続構成要素１１０が摺動溝１１３ａ、１１３ｂを装備し、第１の永久磁石１１２ａ、１１２ｂがそれぞれ摺動溝１１３ａ、１１３ｂ内に配置される。第２の磁気構成要素が好適には円筒形状である一対の第２の永久磁石１２５ａ、１２５ｂを備え、第２の永久磁石１２５ａ、１２５ｂがそれぞれ摺動溝１１３ａ、１１３ｂ内を摺動することができ、それぞれ第１の永久磁石１１２ａおよび１１２ｂと共に磁気引力を発生させることができる。加えて、摺動溝１１３ａ、１１３ｂ内での第２の永久磁石１２５ａ、１２５ｂの摺動運動により、やはり、第１の接続構成要素１１０および第２の接続構成要素１２０の互いに対しての回転の中心となる回転軸が画定される。摺動溝１１３ａ、１１３ｂの端部が、第１の接続構成要素１１０および第２の接続構成要素１２０が互いに対して摺動するところの端の位置を画定する。図１２および１３が、それぞれ、第１の接続構成要素１１０および第２の接続構成要素１２０が互いに対して摺動するところの端の位置を示す。
【００４３】
第１の永久磁石１１２ａ、１１２ｂが摺動溝１１３ａ、１１３ｂに対応する形状を有するものとしておよび摺動溝１１３ａ、１１３ｂ内で収容されるものとして示されるが、第１の永久磁石１１２ａ、１１２ｂの形状は、摺動溝１１３ａ、１１３ｂの全体において第２の永久磁石１２５ａ、１２５ｂに対して第１の永久磁石１１２ａ、１１２ｂが磁気的に取り付けられ得ることを条件として、摺動溝１１３ａおよび１１３ｂとは異なっていてよく、例えば、この事例では、第１の永久磁石１１２ａ、１１２ｂが摺動溝１１３ａおよび１１３ｂの下方に埋設される。
【００４４】
上述の本開示の好適な実施形態では、図１０Ａおよび１０Ｂに示されるように、第１の永久磁石１１２ａおよび１１２ｂが部分的な環状形状として形成され、ここではその長さが所望の所定の角度に対応するように設定される。したがって、第２の永久磁石１２５ａ、１２５ｂが、それぞれ、所定の角度にわたって常に第１の永久磁石１１２ａ、１１２ｂとの磁気引力を発生させることができ、それにより接続の信頼性を確保する。
【００４５】
本開示の好適な一実施形態では、第１の永久磁石１１２ａ、１１２ｂが反対の極性を有し、第２の永久磁石１２５ａ、１２５ｂが反対の極性を有する。一実施例として、第１の永久磁石１１２ａおよび第２の永久磁石１２５ｂがＳ極磁石であり、第１の永久磁石１１２ｂおよび第２の永久磁石１２５ａがＮ極磁石である。補助デバイス２００が正しい方向で第２の接続構成要素１２０に設置されると、第１の永久磁石１１２ａ（Ｓ極磁石）が第２の永久磁石１２５ａ（Ｎ極磁石）に位置合わせされ、第１の永久磁石１１２ｂ（Ｎ極磁石）が第２の永久磁石１２５ｂ（Ｓ極磁石）に位置合わせされ、その結果、第１の接続構成要素１１０および第２の接続構成要素１２０が互いに磁気的に取り付けられ得る。しかし、補助デバイス２００が誤った方向（例えば、正しい方向から１８０度回転する）で第２の接続構成要素１２０に設置されると、第１の永久磁石１１２ａ（Ｓ極磁石）が第２の永久磁石１２５ｂ（Ｓ極磁石）に位置合わせされ、第１の永久磁石１１２ｂ（Ｎ極磁石）が第２の永久磁石１２５ａ（Ｎ極磁石）に位置合わせされ、その結果、第１の接続構成要素１１０および第２の接続構成要素１２０が互いに反発し、それにより設置方向が誤りであることをユーザに伝え、これは視覚障害者または弱視者にとって非常に有益である。
【００４６】
本開示によるコネクタ１００を使用する方法は、図面に示される方法に限定されない。つまり、第１の接続構成要素１１０が補助デバイス２００に一体化され、第２の接続構成要素１２０が眼鏡フレーム３００に着脱自在に装着される。
【００４７】
例えば、本開示によるコネクタ１００が、装着される必要のある補助デバイス２００および眼鏡フレーム３００から独立して販売され得る。消費者がコネクタ１００を購入した後、接着剤、固定具（例えば、ねじ、ボルト、など）などにより、第１の接続構成要素１１０が、補助デバイス２００および眼鏡フレーム３００のうちの一方に固定され、第２の接続構成要素１２０が補助デバイス２００および眼鏡フレーム３００のもう一方に固定される。結果として、補助デバイス２００が柔軟性を有する形で高い信頼性で眼鏡フレーム３００に接続され得、補助デバイス２００が不正確な向きで眼鏡フレームに装着されることが防止され得る。
【００４８】
加えて、上述の本開示の好適な実施形態では、凹部１１１と突出部１２２との間のフォームフィット（形状フィット（ｆｏｒｍ−ｆｉｔ））、第２の接続構成要素１２０の外側周縁部分１２３の内側周縁表面１２３ａと第１の接続構成要素１１０の外側周縁表面１１０ａとの間のフォームフィット、および摺動溝１１３ａ、１１３ｂと第２の永久磁石１２５ａ、１２５ｂとの間の摺動嵌合の各々が、第１の接続構成要素１１０および第２の接続構成要素１２０の互いに対しての回転の中心となる回転軸を画定し、第１の接続構成要素１１０および第２の接続構成要素１２０が所定の角度だけ互いに対して回転することができる。本開示がこれのみに限定されず、実際の用途シナリオの要求に従って当業者であれば、以下の３つの組合せ：突出部１２２および凹部１１１の組合せ、内側周縁表面１２３ａおよび外側周縁表面１１０ａの組合せ、ならびに摺動溝１１３ａ、１１３ｂおよび第２の永久磁石１２５ａ、１２５ｂの組合せ、のうちの任意の１つの組合せまたは任意の２つの組合せを選択的に構成することもできる、ことを当業者であれば理解するであろう。
【００４９】
図面を参照して本開示の実施形態または実施例を説明してきたが、上述の方法、システム、およびデバイスが単に例示の実施形態または実施例であり、本開示の範囲がこれらの実施形態または実施例によって限定されず、特許付与される特許請求の範囲およびその均等物の範囲のみによって定義される、ことを理解されたい。実施形態または実施例内の種々の要素は省略され得るかまたはその等価の要素に置き換えられ得る。さらに、ステップは、本開示で説明される順序とは異なる順序で実施されてもよい。さらに、実施形態または実施例内の種々の要素は多様な手法で組み合わされ得る。重要なことであるが、テクノロジが発展するに従って、本明細書で説明される多くの要素が、本開示の後に現れる等価の要素によって置き換えられ得る。
【図１】
2020201477.tif 000003
【図２】
2020201477.tif 000004
【図３】
2020201477.tif 000005
【図４】
2020201477.tif 000006
【図５Ａ】
2020201477.tif 000007
【図５Ｂ】
2020201477.tif 000008
【図６】
2020201477.tif 000009
【図７】
2020201477.tif 000010
【図８】
2020201477.tif 000011
【図９】
2020201477.tif 000012
【図１０Ａ】
2020201477.tif 000013
【図１０Ｂ】
2020201477.tif 000014
【図１１Ａ】
2020201477.tif 000015
【図１１Ｂ】
2020201477.tif 000016
【図１２】
2020201477.tif 000017
【図１３】
2020201477.tif 000018
【手続補正書】
【提出日】令和2年10月23日(2020.10.23)
【手続補正１】
【補正対象書類名】特許請求の範囲
【補正対象項目名】全文
【補正方法】変更
【補正の内容】
【特許請求の範囲】
【請求項１】
補助デバイスを着用可能デバイスに装着するためのコネクタであって、前記コネクタが、
第１の磁気構成要素を装備する第１の接続構成要素と、
第２の磁気構成要素を装備する第２の接続構成要素と、を備え、
前記第１の磁気構成要素および前記第２の磁気構成要素は互いに磁気的に取り付けられ、
前記第２の接続構成要素は磁気引力の方向に対して垂直な平面において前記第１の接続構成要素に対して所定の角度で回転することができ、
前記第１の磁気構成要素および前記第２の磁気構成要素は、所定の角度の範囲内において前記第１の磁気構成要素および前記第２の磁気構成要素が互いに磁気的に取り付けられ得るように、成形およびサイズ決定される、
コネクタ。
【請求項２】
前記第１の接続構成要素が外側周縁表面を有し、前記第２の接続構成要素の外側周縁部分が、前記外側周縁表面にフォームフィットされる内側周縁表面を有し、前記外側周縁表面が前記内側周縁表面に対して回転可能であり、前記外側周縁表面および前記内側周縁表面が、前記第１の接続構成要素に対しての前記第２の接続構成要素の回転の中心となる回転軸を画定する、請求項１に記載のコネクタ。
【請求項３】
前記外側周縁表面および前記内側周縁表面が、互いに適合する円形外形または部分的な円形外形、互いに適合する多角形外形、および互いに適合する歯を有する外形、のうちの任意の１つの外形を有する、請求項２に記載のコネクタ。
【請求項４】
前記第１の接続構成要素が回転中心のところに凹部を有し、前記第２の接続構成要素が回転中心のところに突出部を有し、
前記第２の接続構成要素が前記第１の接続構成要素に接続され、前記突出部の少なくとも一部分がフォームフィット方式で前記凹部の内部で受けられ、
前記突出部および前記凹部が、前記第１の接続構成要素に対しての前記第２の接続構成要素の回転の中心となる回転軸を画定する、
請求項１から３のいずれか一項に記載のコネクタ。
【請求項５】
前記突出部および前記凹部が、互いに適合する円形外形または部分的な円形外形、互いに適合する多角形外形、および互いに適合する歯を有する外形、のうちの任意の１つの外形を有する、請求項４に記載のコネクタ。
【請求項６】
前記第１の接続構成要素が、環状のまたは部分的に環状の摺動溝を備え、前記第２の磁気構成要素が前記摺動溝の内部で摺動することができ、それにより前記第１の接続構成要素に対しての前記第２の接続構成要素の回転の中心となる回転軸を画定する、請求項１に記載のコネクタ。
【請求項７】
前記第１の磁気構成要素が反対の極性を有する少なくとも一対の第１の磁気構成要素を備え、前記第２の磁気構成要素が反対の極性を有する少なくとも一対の第２の磁気構成要素を備える、請求項１から６のいずれか一項に記載のコネクタ。
【請求項８】
前記第１の接続構成要素の外側周縁表面が前記第２の接続構成要素の外側周縁部分の内側周縁表面に締まり嵌めされ、前記締まり嵌めにより生じる摩擦力が前記第１の接続構成要素および前記第２の接続構成要素が互いに独立して回転するのを防止することができる、請求項１から７のいずれか一項に記載のコネクタ。
【請求項９】
前記コネクタが、前記第２の接続構成要素の外側周縁部分に配置される固定構成要素をさらに備え、前記固定構成要素が、前記第２の接続構成要素の前記外側周縁部分を基準とした第１の位置および第２の位置に配置され得、前記第１の位置では、前記固定構成要素が前記第２の接続構成要素の前記外側周縁部分の前記内側周縁表面から突出せず、その結果、前記第１の接続構成要素および前記第２の接続構成要素が互いに対して回転することができ、前記第２の位置では、前記固定構成要素が前記第２の接続構成要素の前記外側周縁部分の前記内側周縁表面から突出して前記第１の接続構成要素に当接され、それにより前記第１の接続構成要素および前記第２の接続構成要素が互いに対して回転するのを防止する、請求項１から８のいずれか一項に記載のコネクタ。
【請求項１０】
前記第１の接続構成要素または前記第２の接続構成要素が前記補助デバイスに着脱自在に接続されるかまたは前記補助デバイスに一体化され、前記第１の接続構成要素または前記第２の接続構成要素を前記補助デバイスに一体化することは、射出成形により前記第１の接続構成要素または前記第２の接続構成要素を前記補助デバイスに一体化することを含む、請求項１から９のいずれか一項に記載のコネクタ。
【請求項１１】
前記第１の接続構成要素または前記第２の接続構成要素が前記着用可能デバイスの一部分をクランプするためのクランプ溝を備え、その結果、前記第１の接続構成要素または前記第２の接続構成要素が前記着用可能デバイスに着脱自在に接続される、請求項１から１０のいずれか一項に記載のコネクタ。
【請求項１２】
前記第２の接続構成要素が前記着用可能デバイスの一部分をクランプするためのクランプ溝を備え、その結果、前記第２の接続構成要素が前記着用可能デバイスに着脱自在に接続され、クランプ構成要素が前記突出部に設けられ、前記クランプ構成要素が、前記クランプ溝の中へ延在しない第１の位置、および前記クランプ溝の中へ延在する第２の位置に配置され得る、請求項４または５に記載のコネクタ。
【請求項１３】
請求項１から１２のいずれか一項に記載のコネクタを備える補助デバイス。
【請求項１４】
請求項１から９および１１または１２のいずれか一項に記載のコネクタを備える着用可能デバイス。
【請求項１５】
補助デバイスと、着用可能デバイスとを備える着用可能デバイスキットであって、
前記着用可能デバイスキットが請求項１から１２のいずれか一項に記載のコネクタをさらに備え、前記補助デバイスが電子リーダを備える、
着用可能デバイスキット。
【外国語明細書】
2020201477000001.pdf